(57)【要約】【課題】穿刺針とは一体化されていないセンサチップを用いるセンサチップ測定装置であって、穿刺針及びセンサチップの両方を複数収納することができ、従って測定毎にこれらを交換する必要がなく操作性に優れるとともに、小型で携帯性に優れるセンサチップ測定装置を提供する。【解決手段】複数の穿刺針を１方向に並列して収納する穿刺針マガジン、穿刺手段、及び穿刺針を１回の測定毎に１つずつ前記穿刺手段へ移動させる穿刺針移動手段からなる穿刺ユニット、並びに、複数のセンサチップを１方向に並列して収納するセンサチップマガジン、試料をセンサチップに導入し反応により生じた信号を出力する測定部、センサチップを１回の測定毎に１つずつ前記測定部へ移動させるセンサチップ移動手段、及びセンサチップからの出力を処理するデータ処理部からなる測定ユニット、を有することを特徴とするセンサチップ測定装置。【選択図】  図１
2009082204.tif 000002
【特許請求の範囲】
【請求項１】
複数の穿刺針を１方向に並列して収納する穿刺針マガジン、
前記複数の穿刺針の１つにより被検査体を穿刺する穿刺手段、及び
前記穿刺針マガジンに収納されている穿刺針を、１回の測定毎に１つずつ、前記穿刺手段へ移動させる穿刺針移動手段、
を備える穿刺ユニット、並びに
複数のセンサチップを１方向に並列して収納するセンサチップマガジン、
穿刺により流出した試料を前記複数のセンサチップの１つに導入して反応を生じさせ、前記反応により生じた信号を出力する測定部、
前記センサチップマガジンに収納されているセンサチップを、１回の測定毎に１つずつ、前記測定部へ移動させるセンサチップ移動手段、及び
センサチップからの出力を処理するデータ処理部、
を備える測定ユニット、
を有することを特徴とするセンサチップ測定装置。
【請求項２】
前記穿刺針移動手段が、穿刺針マガジンに収納されている穿刺針を、穿刺手段側へ付勢する手段を有することを特徴とする請求項１に記載のセンサチップ測定装置。
【請求項３】
前記センサチップ移動手段が、センサチップマガジンに収納されているセンサチップを、測定部側へ付勢する手段を有することを特徴とする請求項１又は請求項２に記載のセンサチップ測定装置。
【請求項４】
前記穿刺ユニットと、前記測定ユニットが、互いの位置関係を変動可能に連結されていることを特徴とする請求項１ないし請求項３のいずれか１項に記載のセンサチップ測定装置。
【請求項５】
前記穿刺手段が、バネ及びその圧縮手段を有し、前記穿刺が、前記バネの圧縮状態の開放により、穿刺針を被検査体方向へ付勢して行われることを特徴とする請求項１ないし請求項４のいずれか１項に記載のセンサチップ測定装置。
【発明の詳細な説明】
【技術分野】
【０００１】
本発明は、血糖値検査等に用いられるセンサチップ測定装置に関する。より具体的には、穿刺針と一体化されていないセンサチップを使用するとともに、複数の穿刺針及び複数のセンサチップを装置内に収納することができ、穿刺針及びセンサチップの装填を１回の測定毎に行う必要がないセンサチップ測定装置に関する。
【背景技術】
【０００２】
バイオセンサチップは、血液等の微量試料をチップ内に導入し、該チップ内で、該微量試料についての生化学反応を生じさせ、該反応により得られる情報をチップ外へ出力するセンサチップである。このバイオセンサチップを使用するバイオセンサ（センサチップ測定装置）は、例えば、血液中のグルコース量（血糖値）を測定する血糖値センサとして、糖尿病を自己管理し予防する家庭内健康診断（セルフケア）等に使用されている。
【０００３】
血糖値センサ等、測定対象が血液であるセンサチップ測定装置では、指等の被検査体から血液を採取するため、被検査体を穿刺し出血させるための穿刺針が使用され、穿刺により流出した血液がバイオセンサチップに導入される。そこで、このセンサチップ測定装置では、穿刺をするための穿刺器と、センサチップを装着して流出した試料についての測定をするための測定器は、別々に構成されている。
【０００４】
ここで使用される穿刺針及びセンサチップは、１回の測定毎に交換される。しかし、センサチップ及び穿刺針は、小さく扱いにくいので、従来のセンサチップ測定装置では、その交換の操作性に問題があった。特に糖尿病患者に多い視力低下者や高齢者には、この交換が困難な場合があった。
【０００５】
非特許文献１には、本体（測定器）と穿刺器具（穿刺器）からなる自己検査用グルコース測定器（血糖値測定用センサチップ測定装置、ロッシュ社製、商品名：アキュチェックアビバ）が記載されており、この穿刺器具（商品名：マルチクリックス）では、６回分のランセット（穿刺針）を内蔵したドラムケース（円柱型マガジン）が使用されている。この血糖値測定器（センサチップ測定装置）によれば、１回の測定毎にドラムケース（円柱型マガジン）が回転しここから穿刺針が装填されるので、穿刺針を測定毎に交換する必要はなく、この点で操作性が向上している。
【非特許文献１】自己検査用グルコース測定器（血糖値測定器）アキュチェックアビバのホームページ、http://www.kyoto-wel.com/item/IS81136N01233.html
【発明の開示】
【発明が解決しようとする課題】
【０００６】
しかし、この技術では、マガジン化されているのは、穿刺針のみであり、又これらを収納するマガジンは円柱状であり、かつ測定毎にこの円柱状マガジンを回転させる手段が必要である。そこで、この円柱状マガジンや回転手段の収納に大きな容積を必要とし、装置が大型となることに加え、機構が複雑になる問題があった。又従来と同種の測定器が用いられており、一回の測定毎にチップを測定器に挿入する必要がある点は変わらなかった。
【０００７】
本発明は、上記のセンサチップ測定装置における問題の解決を課題とし、穿刺針及びセンサチップの両方を装置内に複数収納することができるセンサチップ測定装置であって、測定毎にこれら穿刺針及びセンサチップを交換する必要がなく操作性に優れるとともに、小型で携帯性にも優れるセンサチップ測定装置を提供することを課題とする。
【課題を解決するための手段】
【０００８】
本発明者は、検討の結果、穿刺針及びセンサチップのそれぞれ複数を、１方向に並列して収納するマガジンを用いることにより、前記の課題が達成されることを見出し、本発明を完成した。
【０００９】
すなわち本発明は、
複数の穿刺針を１方向に並列して収納する穿刺針マガジン、
前記複数の穿刺針の１つにより被検査体を穿刺する穿刺手段、及び
前記穿刺針マガジンに収納されている穿刺針を、１回の測定毎に１つずつ、前記穿刺手段へ移動させる穿刺針移動手段、
を備える穿刺ユニット、並びに
複数のセンサチップを１方向に並列して収納するセンサチップマガジン、
穿刺により流出した試料を前記複数のセンサチップの１つに導入して反応を生じさせ、前記反応により生じた信号を出力する測定部、
前記センサチップマガジンに収納されているセンサチップを、１回の測定毎に１つずつ、前記測定部へ移動させるセンサチップ移動手段、及び
センサチップからの出力を処理するデータ処理部、
を備える測定ユニット、
を有することを特徴とするセンサチップ測定装置（請求項１）を、提供するものである。
【００１０】
このセンサチップ測定装置では、複数の穿刺針及び複数のセンサチップがマガジン化されて収納されている。従って、小さく扱いにくいセンサチップ及び穿刺針を、１回の測定毎に交換する必要はなく、操作性が向上し、特に視力低下者や高齢者にとって好適である。
【００１１】
又、各マガジン内では、穿刺針又はセンサチップは、１方向に並列して収納されているので、マガジンの厚みを穿刺針やセンサチップの幅にほぼ等しくすることができ、その結果、穿刺針マガジンの装着部やセンサチップマガジンの装着部を大きな厚さを有するものとする必要はなく、センサチップ測定装置を小型化することができる。小型化により携帯性も向上し、かつ前記のように操作性も向上するので、外出先での測定に対する煩わしさを無くし、測定習慣を付けることができる等の利点もある。
【００１２】
穿刺手段は、穿刺針を１つ収納するとともに、穿刺口を有し、この穿刺口に当接する被検査体側に穿刺針を移動させて穿刺し、その後、穿刺針の引き上げを行う部分である。従って、被検査体側に穿刺針を移動させる付勢手段、及び引き上げ手段を有する。穿刺口は、被検査体の位置を安定化するため、位置決めリング等の位置安定化手段を有していてもよい。
【００１３】
本発明のセンサチップ測定装置では、１回の測定毎に、穿刺針マガジンより、穿刺針が１つ取出され穿刺手段の位置まで移動する。穿刺針マガジンよりの穿刺針の取り出し及び穿刺手段への移動は、穿刺針移動手段により行われる。そして、前記穿刺針マガジン、穿刺手段及び穿刺針移動手段により、穿刺機が構成される。
【００１４】
穿刺により流出した試料（血液）は、センサチップに導入され測定のための反応が行われるが、このため、１回の測定毎に、センサチップマガジンよりセンサチップが１つ取出され、センサチップ移動手段により測定部へ移動する。ここで、測定部とは、試料をセンサチップの反応部（中空反応部）に導入し、反応を生じさせて反応による電気信号を出力する部分である。
【００１５】
測定部には、センサチップマガジンから移動してきたセンサチップが１つ収納されるが、このセンサチップの収納は、その反応部に、穿刺により流出した試料（血液）を導入しやすい位置、方向でされる。反応部への試料の導入は、例えば、毛管減少等に基づく自然吸引により行うことができるが、試料の導入を確実にするため、測定部に試料導入口や減圧等の吸引手段が設けられていてもよい。
【００１６】
本発明のセンサチップ測定装置は、さらにデータ処理部を有する。データ処理部は、センサチップからの出力を処理する部分で、例えば電子素子等からなる。さらに又、好ましくは、データ処理部等を作動するための電源、例えば電池や、このデータ処理部より出力されたデータを表示するデータ表示部を有するが、この電源やデータ表示部をセンサチップ測定装置外に設け、測定ユニットにはデータの出力端子を設けてもよい。データ表示部としては、液晶表示装置等を挙げることができる。
【００１７】
前記、センサチップマガジン、測定部、センサチップ移動手段及びデータ処理部により、測定ユニットが構成され、本発明のセンサチップ測定装置は、この測定ユニット及び穿刺ユニットを有することを特徴とする。
【００１８】
本発明は、又、前記のセンサチップ測定装置の好ましい態様として、以下に示すセンサチップ測定装置を提供する。
【００１９】
すなわち、請求項２に記載の発明は、前記穿刺針移動手段が、穿刺針マガジンに収納されている穿刺針を、穿刺手段側へ付勢する手段を有することを特徴とする請求項１に記載のセンサチップ測定装置である。
【００２０】
又、請求項３に記載の発明は、前記センサチップ移動手段が、センサチップマガジンに収納されているセンサチップを、測定部側へ付勢する手段を有することを特徴とする請求項１又は請求項２に記載のセンサチップ測定装置である。
【００２１】
請求項２又は請求項３の発明は、穿刺針又はセンサチップの移動手段が、それぞれ、穿刺針を穿刺手段側へ付勢する手段、又はセンサチップを測定部側へ付勢する手段を有することを特徴とする。本発明のセンサチップ測定装置では、穿刺針やセンサチップは、マガジン内で１方向に並列しているので、並列の方向に付勢することにより、これらを簡易な操作で移動させることができる。
【００２２】
例えば、１回の測定後、穿刺手段内にある穿刺針及び測定部内にあるセンサチップが除去され空洞が生じるが、付勢力により穿刺針及びセンサチップが、１つずつその空洞内に移動し、次の測定を行うことができ、移動を容易に行うことができる。
【００２３】
穿刺針移動手段及びセンサチップ移動手段が設けられる位置としては、穿刺針マガジン装着部及びセンサチップマガジン装着部、穿刺針マガジン内及びセンサチップマガジン内等を例示することができる。付勢する手段としては、例えば、穿刺針又はセンサチップを穿刺手段や測定部側に押し付けるバネ（押し付け）を挙げることができる。押し付けバネを使用することにより、前記の付勢する手段を簡易な機構とすることができるので、付勢する手段の少なくとも１つは押し付けバネを使用することが好ましい。
【００２４】
穿刺針やセンサチップのマガジン内での収納の形態としては、穿刺針及び／又はセンサチップのそれぞれ１つずつを、平型の容器（カートリッジ）に収納し、この容器の上面と他の容器の下面を接触させるようにして１列に並べてマガジン内に収納すると、前記の付勢による穿刺針又はセンサチップの移動をさらに容易にすることができるので好ましい。この平型の容器としては、アルミ等で形成され、その内部の小部屋に穿刺針やセンサチップを１つ収納するものを例示することができる。
【００２５】
請求項４に記載の発明は、前記穿刺ユニットと、前記測定ユニットが、互いの位置関係を変動可能に連結されていることを特徴とする請求項１ないし請求項３のいずれか１項に記載のセンサチップ測定装置である。
【００２６】
前記穿刺ユニットと測定ユニットの両者を固定的に結合して一体化してもよいが、互いの位置関係が変動可能になるように連結することにより、センサチップ測定装置を、さらにコンパクト化することができ、携帯性が向上する。穿刺ユニットと測定ユニットを、互いの位置関係が変動可能になるように連結する方法としては、穿刺ユニットと測定ユニットの一端をヒンジ（蝶番）部で連結する方法、穿刺ユニットと測定ユニットの一方の上に、他方をスライド可能な状態でのせて連結する方法を挙げることができる。
【００２７】
例えば、ヒンジ部で連結する場合は、マガジンの交換時や、表示装置の結果を見る等のときは穿刺ユニットと測定ユニットを開き、携帯時にはヒンジ部で両者を折りたたんでコンパクト化することができる。一方の上に他方をスライド可能に連結する場合は、携帯時には両者が重なるようにスライドしてコンパクト化し、マガジンの交換時や、表示装置の結果を見る等のときは、一方をスライドさせて、伸長させる方法を挙げることができる。又、前記の折りたたみやスライドにより、測定ユニットの試料の導入部（例えば、センサチップの先端）と穿刺ユニットの穿刺口を近接させることができ、穿刺後のセンサチップへの試料の導入を容易にすることができる。
【００２８】
請求項５に記載の発明は、前記穿刺手段が、バネ及びその圧縮手段を有し、前記穿刺が、前記バネの圧縮状態の開放により、穿刺針を被検査体方向へ付勢して行われることを特徴とする請求項１ないし請求項４のいずれか１項に記載のセンサチップ測定装置である。
【００２９】
穿刺手段として具体的には、穿刺方向にセンサチップを付勢する穿刺バネと、その穿刺バネを圧縮する圧縮手段を有し、穿刺前は圧縮手段により圧縮されたバネの圧縮状態をロックし、穿刺時にはそのロックの解除によりバネの圧縮状態を開放し、穿刺針を被検査体方向に急速に移動させる方法を例示することができる。請求項５に記載の発明は、この態様に該当する。
【００３０】
センサチップの引き上げの方法としては、バネ定数が穿刺バネより小さいバネをさらに有し、穿刺後、このバネにより穿刺方向とは逆方向にセンサチップを付勢し、穿刺針の引き上げを行う方法を例示することができる。バネの代わりにダンパーや他の弾性体等を用いることもできる。
【００３１】
穿刺バネ等を圧縮する圧縮手段は、特に限定されないが、装置の外表面にボタンやコッキングレバー等の操作手段を設け、この操作手段と前記圧縮手段を連動させて、操作手段の操作により圧縮手段を作動させてバネ等の圧縮を行う方法を例示することができる。
【発明の効果】
【００３２】
本発明のセンサチップ測定装置では、小さく扱いにくいセンサチップ及び穿刺針を、１回の測定毎に交換する必要がなく、操作性に優れている。又、小型にすることが容易で携帯性に優れている。
【発明を実施するための最良の形態】
【００３３】
次に、本発明の実施形態を、図を用いてより具体的に説明するが、本発明の範囲はこの形態に限定されるものではない。
【００３４】
図１は、本発明のセンサチップ測定装置の一例の外観を模式的に示す斜視図である。図１中、１は穿刺針（平型）であり、２は穿刺針１を複数収納している穿刺針マガジンであり、３は穿刺針マガジン２を装着している穿刺針マガジン装着部である。又、５は測定の際に穿刺針の付勢、被検査体の穿刺、穿刺針の引き上げを行う穿刺手段であり、４は、穿刺口である。穿刺針マガジン装着部３には、穿刺針マガジン中の穿刺針を図中の矢印イ方向へ付勢する手段である押し付けバネ６（穿刺針移動手段）が設けられている。穿刺針マガジン装着部３、穿刺手段５及び押し付けバネ６は、穿刺ユニット７に設けられている。
【００３５】
さらに図中の、１１はセンサチップ（平型）であり、１２はセンサチップ１１を複数収納しているセンサチップマガジンであり、１３はセンサチップマガジン１２を装着しているセンサチップマガジン装着部である。又、１４は測定部であり、測定時には、センサチップマガジン１２から移動してきたセンサチップ１１を１つ収納する。１５は、センサチップ１１の試料導入口であり、穿刺により流出した試料（血液）は、試料導入口１５よりセンサチップの反応部に導入される。センサチップマガジン装着部１３には、センサチップマガジン１２中のセンサチップ１１を図中の矢印ロ方向へ付勢する手段である押し付けバネ１６（センサチップ移動手段）が設けられている。
【００３６】
センサチップマガジン装着部１３、測定部１４及び押し付けバネ１６は測定ユニット１７に設けられている。測定ユニット１７にはさらに、測定時に、センサチップ１１から出力されるデータを処理するデータ処理部１８、処理された結果を表示するデータ表示部１９、データ処理部１８及びデータ表示部１９等を作動するための電源である電池（図示されていない。）が設けられている。データ表示部１９としては、液晶表示装置が用いられている。
【００３７】
図２は、穿刺針マガジン２及び押し付けバネ６を詳細に示す斜視図である。穿刺針マガジン２が、複数の穿刺針１を収納し、押し付けバネ６により図中の矢印イ方向に付勢されていることが示されている。図３は、センサチップマガジン１２及び押し付けバネ１６を詳細に示す斜視図である。センサチップマガジン１２が、複数のセンサチップ１１を収納し、押し付けバネ１６により図中の矢印方向に付勢されていることが示されている。
【００３８】
穿刺手段５は、穿刺針の付勢及びその引き上げする部分であり、穿刺針を付勢し穿刺口４から突き出して穿刺をするための穿刺バネ、穿刺後に穿刺針を引き上げる引き上げ用のバネ、及び穿刺口４等を有するが、穿刺バネや引き上げ用のバネは図示されていない。穿刺バネのバネ定数は、引き上げ用のバネより大きく、穿刺時には、穿刺バネの弾性力により、引き上げ用のバネの弾性力に抗して穿刺針を被検査体の方向に移動させて穿刺するとともに、穿刺後、引き上げ用のバネの弾性力により、穿刺針の引き抜きがされる。
【００３９】
図４は、穿刺口４及びその周囲の拡大断面図である。図４中の１は穿刺針であり、４１は位置決め用保護リングである。位置決め用保護リング４１は、穿刺の位置を安定させるために穿刺時に指先等の被検査体に当接する部分である。
【００４０】
センサチップ１１は、試料が導入され測定のための反応が行われる中空部である反応部、反応部内での反応により生じた電気信号を外部に出力するための電極を有し、電極の一部分は反応部内に露出しているが、これらの図示は省略されている。電極は、対極、作用極の少なくとも２つの電極からなり、必要により、反応部に外部より電圧を印加する機能も有する。通常、反応部内には、反応を促進するための薬剤が付着されている。
【００４１】
穿刺により流出した試料（血液）は、測定部１４に収納されたセンサチップ１１の反応部に、試料導入口１５から導入される。
【００４２】
穿刺ユニット７と測定ユニット１７は、ヒンジ部２０により連結されており、支軸Ｐを中心として開閉可能に構成されている。携帯時には、穿刺ユニット７と測定ユニット１７を閉じてコンパクト化できるので、携帯に便利である。又測定時にも、穿刺ユニット７と測定ユニット１７を閉じることにより、試料導入口１５を穿刺口４に近接させることができ、試料の導入を容易にすることができる。一方、測定後は、穿刺ユニット７と測定ユニット１７を開きデータ表示部１９に表示された測定結果を見ることができる。又、穿刺ユニット７と測定ユニット１７を開くことにより、穿刺針マガジン２とセンサチップマガジン１２の装着を容易にすることができる。
【００４３】
次に、図１〜４に示すセンサチップ測定装置を用いた測定の手順を説明する。
【００４４】
測定に先立ち、穿刺針マガジン装着部３への穿刺針マガジン２の装着、センサチップマガジン装着部１３へのセンサチップマガジン１２の装着が行われる。この装着は、１回の測定毎に行う必要はなく、穿刺針マガジン２内の全ての穿刺針１やセンサチップマガジン１２内の全てのセンサチップ１１を使い切ったときに行えばよい。
【００４５】
穿刺針マガジン装着部３及びセンサチップマガジン装着部１３内には、それぞれコネクター（図示されていない。）が設けられており、このコネクターに、穿刺針マガジン２又はセンサチップマガジン１２を挿入することにより、容易に装着ができる。
【００４６】
測定は、穿刺針マガジン２及びセンサチップマガジン１２が装着されたセンサチップ測定装置の穿刺ユニット７と測定ユニット１７を、ヒンジ部２０で折りたたんで行われる。図１は、開いた状態から折りたたんだ状態へ移行する途中の状態を示している。
【００４７】
穿刺針マガジン装着部３に装着された穿刺針マガジン２内の穿刺針１は、押し付けバネ６により図中の矢印イ方向に付勢される。穿刺手段５内に、前回の測定で使用された穿刺針１が残っている場合はその除去が行われる。前回の測定で使用された穿刺針１が除去され、穿刺手段５内に空洞が生じると、押し付けバネ６の付勢力により、穿刺針１の１つが矢印イ方向に移動し、さらに穿刺手段５内に移動する。
【００４８】
穿刺針１の場合と同様に、センサチップマガジン装着部１３内に装着されたセンサチップマガジン１２内のセンサチップ１１は、押し付けバネ１６により図中の矢印ロ方向に付勢される。測定部１４内に、前回の測定で使用されたセンサチップ１１が残っている場合はその除去が行われる。前回の測定で使用されたセンサチップ１１が除去され、測定部１４内に空洞が生じると、押し付けバネ１６の付勢力により、センサチップ１１の１つが矢印ロ方向に移動し、さらに測定部１４内に移動する。
【００４９】
次に測定が行われる。先ず位置決め用保護リング４１に指等の被検査体を当接する。その後、穿刺手段５内にある穿刺バネのロックを解除し、穿刺バネの圧縮状態を開放する。すると穿刺バネの付勢力により穿刺手段５内にある穿刺針１が押され、穿刺口４より突き出るように移動して被検査体を穿刺する。穿刺手段５内には、引き上げ用のバネが設けられている。このバネは穿刺バネよりバネ定数が小さいものであるが、穿刺針１の突出の際に伸びて針引き上げ方向への付勢力が生じており、この付勢力により穿刺針１が引き上げられる。穿刺針１の引き上げにより、被検査体より血液（試料）が流出する。
【００５０】
この血液が流出している部分に、試料導入口１５を当接する。すると、測定部１４内に収納されているセンサチップ１１の反応部に血液が導入され反応部内で反応が行われる。
【００５１】
反応部内での反応により生じた電気信号は、センサチップ１１内の電極により検知され、データ処理部１８に出力される。データ処理部１８では信号に基づきデータ処理が行われ、その結果が液晶表示装置からなるデータ表示部１９に表示される。穿刺ユニット７と測定ユニット１７を開くことにより、データ表示部１９に表示された測定結果を見ることができる。
【００５２】
測定後、使用済のセンサチップ１１は、測定部１４より除去され、使用済の穿刺針１は穿刺手段５より除去される。前記のように、除去により測定部１４及び穿刺手段５に空洞が生じ、この空洞に次の測定に使用されるセンサチップ１１及び穿刺針１が、押し付けバネ１６、６の付勢力等により移動する。又、穿刺手段５内の穿刺バネの圧縮等が行われ、次の測定を行えるようになる。この圧縮は、センサチップ測定装置外に突出する操作手段、例えば操作ボタンやコッキングレバー等により行うことができる。
【００５３】
図５は本発明に係るセンサチップ測定装置の他の例を模式的に示す斜視図である。図５中、２１は穿刺針（平型）であり、２２は穿刺針２１を複数収納している穿刺針マガジンであり、２３は穿刺針マガジン２２を装着している穿刺針マガジン装着部である。又、２４は穿刺口であり、その後方にある穿刺手段（図示されていない。）により、測定の際に穿刺、針の引き上げが行われる。
【００５４】
図１の例と同様に、図５の例でも穿刺針マガジン装着部２３及び穿刺手段は、穿刺ユニット２７に設けられているが、図１の例では、穿刺針マガジン装着部３は、穿刺針マガジン２を装着するための空洞を有しその中に穿刺針マガジン２が挿入されるのに対し、図５の例では、穿刺針マガジン装着部２３は、穿刺ユニット２７の外装に設けられたコネクターからなり、このコネクターにより、穿刺ユニット２７の外側に穿刺針マガジン２２を固定することにより装着する。又、図１の例では、穿刺針１を図中の矢印イ方向へ付勢する手段である押し付けバネ６は、穿刺針マガジン装着部３中に設けられているが、図５の例では、穿刺針マガジン２２が、押し付けバネ２６を有する。
【００５５】
図５中の、３１はセンサチップ（平型）であり、３２はセンサチップ３１を複数収納しているセンサチップマガジンであり、３３はセンサチップマガジン３２を装着しているセンサチップマガジン装着部である。穿刺により流出した試料は、センサチップ３１の試料導入口３５より反応部に導入される。センサチップ３１は、試料導入口３５の後方に設けられている測定部（図示されていない。）に１つ収納されている。
【００５６】
図１の例と同様に、図５の例でもセンサチップマガジン装着部３３及び測定部は、測定ユニット３７に設けられているが、図１の例では、センサチップマガジン装着部１３は、センサチップマガジン１２を装着するための空洞を有しその中にセンサチップマガジン１２が挿入されるのに対し、図５の例では、センサチップマガジン装着部３３は、測定ユニット３７の外装に設けられたコネクターからなり、このコネクターにより、測定ユニット３７の外側にセンサチップマガジン３２を固定することにより装着する。又、図１の例では、センサチップ１１を図中の矢印ロ方向へ付勢する手段である押し付けバネ１６は、センサチップマガジン装着部１３中に設けられているが、図５の例では、センサチップマガジン３２が、押し付けバネ３６を有する。
【００５７】
測定ユニット３７内には、測定時に、センサチップ３１から出力されるデータを処理するデータ処理部（図示されていない。）が設けられ、さらに処理されて得られた結果を表示するデータ表示部３８、データ処理部及びデータ表示部３８等を作動するための電源である電池（図示されていない。）が設けられている。
【００５８】
穿刺手段の構造と作用は、図１の例における穿刺手段５の構造と作用と同様である。又、穿刺口２４及びその周囲の構造、使用されるセンサチップ３１の構造と作用も、図１の例の場合と同様である。
【００５９】
図５の例においては、測定ユニット３７は、穿刺ユニット２７の上に、スライド可能に連結されている。スライドにより穿刺バネの圧縮を行うことができる。このようにすることにより、操作ボタンやコッキングレバー等の操作を必要とせず、操作性を向上させることができる。携帯時や測定時には両者が重なるようにスライドしてコンパクト化する。図５は、両者が重なるようにスライドしてコンパクト化した状態を示しており、図中の矢印ハはスライドの方向を示している。
【図面の簡単な説明】
【００６０】
【図１】本発明のセンサチップ測定装置の一例の斜視図である。
【図２】穿刺針マガジン及び押し付けバネを詳細に示す斜視図である。
【図３】センサチップマガジン及び押し付けバネを詳細に示す斜視図である。
【図４】穿刺口及びその周囲の拡大断面図である。
【図５】本発明のセンサチップ測定装置の他の例の斜視図である。
【符号の説明】
【００６１】
１、２１    穿刺針
２、２２    穿刺針マガジン
３、２３    穿刺針マガジン装着部
４、２４    穿刺口
５          穿刺手段
６、２６    押し付けバネ
７、２７    穿刺ユニット
１１、３１  センサチップ
１２、３２  センサチップマガジン
１３、３３  センサチップマガジン装着部
１４        測定部
１５、３５  試料導入口
１６、３６  押し付けバネ
１７、３７  測定ユニット
１８        データ処理部
１９、３８  データ表示部
２０        ヒンジ部
４１        位置決め用保護リング
【図１】
2009082204.tif 000003
【図２】
2009082204.tif 000004
【図３】
2009082204.tif 000005
【図４】
2009082204.tif 000006
【図５】
2009082204.tif 000007